(57)【要約】【課題】他の物質への付加をより簡便且つ効率的に行うことができ、且つコンドロイチン硫酸鎖の分子量がより大きな哺乳類型コンドロイチン硫酸誘導体を、より簡便且つ効率的に製造することができる方法、及び該哺乳類型コンドロイチン硫酸誘導体を提供すること。【解決手段】一般式（２）で表される反応性基含有キシロース誘導体を含む細胞を培養すること。【選択図】なし【特許請求の範囲】
【請求項１】
一般式（２）：
【化１】
2019059803.tif 000019
［式中：ｎは０又は１〜１０の整数を示す。Ｒ２は同一又は異なって、水素原子又はアシル基を示す。Ｙ１は反応性基１を示す。］
で表される化合物を含む細胞を培養する工程を含む、
一般式（３）：
【化２】
2019059803.tif 000020
［式中：ｎは０又は１〜１０の整数を示す。Ｒ２は同一又は異なって、水素原子又はアシル基を示す。Ｘはコンドロイチン硫酸鎖を示す。Ｙ１は反応性基１を示す。］
で表される化合物の製造方法。
【請求項２】
前記Ｙ１がエチニル基、ビニル基、アジド基、エポキシ基、アルデヒド基、オキシルアミノ基、チオール基、イソシアネート基、又はイソチオシアネートである、請求項１に記載の製造方法。
【請求項３】
前記Ｙ１がエチニル基である、請求項１又は２に記載の製造方法。
【請求項４】
前記ｎが０又は１〜４の整数である、請求項１〜３のいずれかに記載の製造方法。
【請求項５】
前記Ｒ２が水素原子である、請求項１〜４のいずれかに記載の製造方法。
【請求項６】
前記細胞が繊維芽細胞である、請求項１〜５のいずれかに記載の製造方法。
【請求項７】
前記コンドロイチン硫酸鎖の分子量が１０００以上である、請求項１〜６のいずれかに記載の製造方法。
【請求項８】
前記コンドロイチン硫酸鎖が哺乳類型コンドロイチン硫酸鎖である、請求項１〜７のいずれかに記載の製造方法。
【請求項９】
前記コンドロイチン硫酸鎖がヒト型コンドロイチン硫酸鎖である、請求項１〜８のいずれかに記載の製造方法。
【請求項１０】
一般式（３）：
【化３】
2019059803.tif 000021
［式中：ｎは０又は１〜１０の整数を示す。Ｒ２は同一又は異なって、水素原子又はアシル基を示す。Ｘは哺乳類型コンドロイチン硫酸鎖を示す。Ｙ１は反応性基１を示す。］
で表される化合物。
【請求項１１】
一般式（２）：
【化４】
2019059803.tif 000022
［式中：ｎは０又は１〜１０の整数を示す。Ｒ２は同一又は異なって、水素原子又はアシル基を示す。Ｙ１は反応性基１を示す。］
で表される化合物。
【請求項１２】
キシロース供与体と、一般式（１）：
【化５】
2019059803.tif 000023
［式中：ｎは０又は１〜１０の整数を示す。Ｙ１は反応性基１を示す。］
で表される化合物とをキシラナーゼの存在下で反応させる工程を含む、
一般式（２）：
【化６】
2019059803.tif 000024
［式中：ｎは０又は１〜１０の整数を示す。Ｒ２は同一又は異なって、水素原子又はアシル基を示す。Ｙ１は反応性基１を示す。］
で表される化合物の製造方法。
【請求項１３】
一般式（５）：
【化７】
2019059803.tif 000025
［式中：ｎは０又は１〜１０の整数を示す。Ｒ１は修飾対象物質由来の基を示す。Ｒ２は同一又は異なって、水素原子又はアシル基を示す。Ｘは哺乳類型コンドロイチン硫酸鎖を示す。Ｚは架橋連結部を示す。］
で表される化合物。
【請求項１４】
前記Ｚが１，２，３−トリアゾール環である、請求項１３に記載の化合物
【請求項１５】
一般式（３）：
【化８】
2019059803.tif 000026
［式中：ｎは０又は１〜１０の整数を示す。Ｒ２は同一又は異なって、水素原子又はアシル基を示す。Ｘは哺乳類型コンドロイチン硫酸鎖を示す。Ｙ１は反応性基１を示す。］
で表される化合物と、一般式（４）：
【化９】
2019059803.tif 000027
［式中：Ｒ１は修飾対象物質由来の基を示す。Ｙ２は反応性基２を示す。］
で表される化合物とを反応させる工程を含む、
一般式（５）：
【化１０】
2019059803.tif 000028
［式中：ｎは０又は１〜１０の整数を示す。Ｒ１は修飾対象物質由来の基を示す。Ｒ２は同一又は異なって、水素原子又はアシル基を示す。Ｘは哺乳類型コンドロイチン硫酸鎖を示す。Ｚは架橋連結部を示す。］
で表される化合物の製造方法。
【発明の詳細な説明】
【技術分野】
【０００１】
本発明は、反応性基含有コンドロイチン硫酸誘導体、その製造方法、その利用等に関する。
【背景技術】
【０００２】
コンドロイチン硫酸は神経細胞伸長作用、軟骨細胞分化作用等の様々な生理活性を持つことが知られている。このため、コンドロイチン硫酸は、再生医療、医薬化合物の高機能化、関節疾患の治療等の多分野において、その応用利用が望まれている。
【０００３】
ただ、コンドロイチン硫酸は、高分子であるが故に、有機化学的人工合成は不可能である。したがって、通常は、生体成分からアルカリ処理等で切り出して抽出することにより得ている。この場合、得られたコンドロイチン硫酸を他の物質へ付加することは一般的に困難である。
【０００４】
非特許文献１には、サケ由来プロテオグリカン（コンドロイチン硫酸含有）とプロパルギルアルコールとをエンド−β−キシロシダーゼの存在下で反応させることにより、プロパルギル基が導入されたサケ由来コンドロイチン硫酸誘導体が得られたことが報告されている。また、該コンドロイチン硫酸誘導体を、プロパルギル基を利用して、他の物質に付加させたことも報告されている。しかしながら、この技術で使用されている酵素は、抽出と精製が困難であり、特に精製に煩雑な工程を要し、必要量を得ることが難しい。また、この技術の原料（コンドロイチン硫酸含有プロテオグリカン）を必要量得るには、サケ等の魚類を原料とする必要があるので、この方法では、哺乳類型コンドロイチン硫酸鎖を有するものを得ることは困難である。
【０００５】
非特許文献２には、キシロース−セリン構造に長鎖アルキル基が付加されてなる化合物を細胞に導入することにより、細胞内で、該化合物を起点としてグリコサミノグリカン鎖が伸長してなるグリコサミノグリカン誘導体が生成されたことが報告されている。しかしながら、得られたグリコサミノグリカン誘導体におけるグリコサミノグリカン鎖の分子量は非常に低い（概ね分子量１０００以下）。また、この技術で得られたグリコサミノグリカン誘導体は、他の物質への付加を簡便に行えるものではない。
【先行技術文献】
【非特許文献】
【０００６】
【非特許文献１】Tetrahedron Letters 47 (2006) 7455-7458.
【非特許文献２】Carbohydrate Research 361 (2012) 33-40.
【発明の概要】
【発明が解決しようとする課題】
【０００７】
本発明は、他の物質への付加をより簡便且つ効率的に行うことができ、且つコンドロイチン硫酸鎖の分子量がより大きな哺乳類型コンドロイチン硫酸誘導体を、より簡便且つ効率的に製造することができる方法、及び該哺乳類型コンドロイチン硫酸誘導体を提供することを課題とする。
【課題を解決するための手段】
【０００８】
本発明者は、上記課題に鑑みて鋭意研究を進めた結果、一般式（２）で表される反応性基含有キシロース誘導体を含む細胞を培養することにより、上記課題を解決できることを見出した。即ち、本発明は、下記の態様を包含する。
【０００９】
項１．  一般式（２）：
【００１０】
【化１】
2019059803.tif 000002
【００１１】
［式中：ｎは０又は１〜１０の整数を示す。Ｒ２は同一又は異なって、水素原子又はアシル基を示す。Ｙ１は反応性基１を示す。］
で表される化合物を含む細胞を培養する工程を含む、
一般式（３）：
【００１２】
【化２】
2019059803.tif 000003
【００１３】
［式中：ｎは０又は１〜１０の整数を示す。Ｒ２は同一又は異なって、水素原子又はアシル基を示す。Ｘはコンドロイチン硫酸鎖を示す。Ｙ１は反応性基１を示す。］
で表される化合物の製造方法。
【００１４】
項２．  前記Ｙ１がエチニル基、ビニル基、アジド基、エポキシ基、アルデヒド基、オキシルアミノ基、チオール基、イソシアネート基、又はイソチオシアネートである、項１に記載の製造方法。
【００１５】
項３．  前記Ｙ１がエチニル基である、項１又は２に記載の製造方法。
【００１６】
項４．  前記ｎが０又は１〜４の整数である、項１〜３のいずれかに記載の製造方法。
【００１７】
項５．  前記Ｒ２が水素原子である、項１〜４のいずれかに記載の製造方法。
【００１８】
項６．  前記細胞が繊維芽細胞である、項１〜５のいずれかに記載の製造方法。
【００１９】
項７．  前記コンドロイチン硫酸鎖の分子量が１０００以上である、項１〜６のいずれかに記載の製造方法。
【００２０】
項８．  前記コンドロイチン硫酸鎖が哺乳類型コンドロイチン硫酸鎖である、項１〜７のいずれかに記載の製造方法。
【００２１】
項９．  前記コンドロイチン硫酸鎖がヒト型コンドロイチン硫酸鎖である、項１〜８のいずれかに記載の製造方法。
【００２２】
項１０．  一般式（３）：
【００２３】
【化３】
2019059803.tif 000004
【００２４】
［式中：ｎは０又は１〜１０の整数を示す。Ｒ２は同一又は異なって、水素原子又はアシル基を示す。Ｘは哺乳類型コンドロイチン硫酸鎖を示す。Ｙ１は反応性基１を示す。］
で表される化合物。
【００２５】
項１１．  一般式（２）：
【００２６】
【化４】
2019059803.tif 000005
【００２７】
［式中：ｎは０又は１〜１０の整数を示す。Ｒ２は同一又は異なって、水素原子又はアシル基を示す。Ｙ１は反応性基１を示す。］
で表される化合物。
【００２８】
項１２．  キシロース供与体と、一般式（１）：
【００２９】
【化５】
2019059803.tif 000006
【００３０】
［式中：ｎは０又は１〜１０の整数を示す。Ｙ１は反応性基１を示す。］
で表される化合物とをキシラナーゼの存在下で反応させる工程を含む、
一般式（２）：
【００３１】
【化６】
2019059803.tif 000007
【００３２】
［式中：ｎは０又は１〜１０の整数を示す。Ｒ２は同一又は異なって、水素原子又はアシル基を示す。Ｙ１は反応性基１を示す。］
で表される化合物の製造方法。
【００３３】
項１３．  一般式（５）：
【００３４】
【化７】
2019059803.tif 000008
【００３５】
［式中：ｎは０又は１〜１０の整数を示す。Ｒ１は修飾対象物質由来の基を示す。Ｒ２は同一又は異なって、水素原子又はアシル基を示す。Ｘは哺乳類型コンドロイチン硫酸鎖を示す。Ｚは架橋連結部を示す。］
で表される化合物。
【００３６】
項１４．  前記Ｚが１，２，３−トリアゾール環である、項１３に記載の化合物
【００３７】
項１５．  一般式（３）：
【００３８】
【化８】
2019059803.tif 000009
【００３９】
［式中：ｎは０又は１〜１０の整数を示す。Ｒ２は同一又は異なって、水素原子又はアシル基を示す。Ｘは哺乳類型コンドロイチン硫酸鎖を示す。Ｙ１は反応性基１を示す。］
で表される化合物と、一般式（４）：
【００４０】
【化９】
2019059803.tif 000010
【００４１】
［式中：Ｒ１は修飾対象物質由来の基を示す。Ｙ２は反応性基２を示す。］
で表される化合物とを反応させる工程を含む、
一般式（５）：
【００４２】
【化１０】
2019059803.tif 000011
【００４３】
［式中：ｎは０又は１〜１０の整数を示す。Ｒ１は修飾対象物質由来の基を示す。Ｒ２は同一又は異なって、水素原子又はアシル基を示す。Ｘは哺乳類型コンドロイチン硫酸鎖を示す。Ｚは架橋連結部を示す。］
で表される化合物の製造方法。
【発明の効果】
【００４４】
本発明によれば、他の物質への付加をより簡便且つ効率的に行うことができ、且つコンドロイチン硫酸鎖の分子量がより大きな哺乳類型コンドロイチン硫酸誘導体を、より簡便且つ効率的に製造することができる方法、及び該哺乳類型コンドロイチン硫酸誘導体を提供することができる。
【００４５】
さらに、本発明によれば、該製造方法の原料及びその製造方法、並びに哺乳類型コンドロイチン硫酸誘導体の利用態様として、哺乳類型コンドロイチン硫酸で修飾された物質及びその製造方法を提供することもできる。
【図面の簡単な説明】
【００４６】
【図１】実施例３で得られたクロマトグラムを示す。
【図２】実施例４で得られたクロマトグラムを示す。
【発明を実施するための形態】
【００４７】
本明細書中において、「含有」及び「含む」なる表現については、「含有」、「含む」、「実質的にからなる」及び「のみからなる」という概念を含む。
【００４８】
１．反応性基含有コンドロイチン硫酸誘導体
本発明は、その一態様において、一般式（３）：
【００４９】
【化１１】
2019059803.tif 000012
【００５０】
で表される化合物、及びその製造方法に関する。以下に、これらについて説明する。
【００５１】
ｎは０又は１〜１０の整数を示す。
【００５２】
ｎは、好ましくは０又は１〜６の整数であり、より好ましくは０又は１〜４の整数であり、さらに好ましくは１〜３の整数であり、よりさらに好ましくは１又は２であり、よりさらに好ましくは１である。
【００５３】
Ｒ２は同一又は異なって、水素原子又はアシル基を示す。
【００５４】
アシル基としては、特に制限されないが、例えばアセチル基、グリコリル基、レブリノイル基、クロロアセチル基、ブロモアセチル基、トリクロロアセチル基、トリフルオロアセチル基、ベンゾイル基、ピバロイル基、トロック基等を挙げることができる。これらの中でもアセチル基、又はグリコリル基が好ましく挙げられ、アセチル基がより好ましく挙げられる。
【００５５】
Ｒ２は、好ましくは水素原子、アセチル基、又はグリコリル基であり、より好ましくは水素原子又はアセチル基であり、さらに好ましくは水素原子である。
【００５６】
Ｘはコンドロイチン硫酸鎖を示す。
【００５７】
コンドロイチン硫酸鎖としては、特に制限されず、例えばグルクロン酸、イズロン酸、及びそれらの水酸基が硫酸化されてなる硫酸化ウロン酸からなる群より選択される少なくとも１種の糖Ｐと、アセチルガラクトサミンの水酸基が硫酸化されてなる硫酸化アミノ糖からなる群より選択される少なくとも１種の糖Ｑとの繰り返し構造を含む鎖が挙げられる。コンドロイチン硫酸鎖は、通常はリンカー構造を含む。典型的には、コンドロイチン硫酸鎖としては、Ｗ−Ｌ−（式中：Ｗは糖Ｐと糖Ｑとの繰り返し構造を含む構造を示す。Ｌはリンカー構造を示す。）で表される基が挙げられる。Ｗは、例えば糖Ｐと糖Ｑとの繰り返し構造を主鎖として含み、分岐鎖を有していてもよい。Ｌは、通常は、グルクロン酸、ガラクトース、ガラクトースがこの順で連結した構造である。
【００５８】
コンドロイチン硫酸鎖の構造、特に糖Ｐと糖Ｑとの繰り返し構造を含む構造は、それを生成する生物種によって異なる型を示す。コンドロイチン硫酸鎖の型は、好ましくは哺乳類型であり、より好ましくはヒト型、サル型、マウス型、ラット型等であり、さらに好ましくはヒト型である。
【００５９】
コンドロイチン硫酸鎖の分子量は、特に制限されないが、例えば１０００以上、好ましくは２０００以上、より好ましくは５０００以上、さらに好ましくは１００００以上である。上限は、例えば１０００００、５００００である。
【００６０】
Ｙ１は反応性基１を示す。
【００６１】
反応性基１は、他の基（後述の反応性基２（Ｙ２））と反応することにより、後述の架橋連結部（Ｚ）を形成可能な基である限り特に制限されない。反応性基１としては、例えば、エチニル基、ビニル基、アジド基、エポキシ基、アルデヒド基、オキシルアミノ基、チオール基、イソシアネート基、イソチオシアネート基等が挙げられる。
【００６２】
Ｙ１は、好ましくはエチニル基である。
【００６３】
一般式（３）で表される化合物は、一般式（２）：
【００６４】
【化１２】
2019059803.tif 000013
【００６５】
で表される化合物を含む細胞を培養する工程（工程２）を含む方法によって、製造することができる。
【００６６】
一般式（２）中、ｎ、Ｒ２、及びＹ１は前記に同じである。
【００６７】
工程２で使用される細胞は、コンドロイチン硫酸鎖を生成する細胞である限り、特に制限されない。細胞の由来生物としては、好ましくは哺乳類、より好ましくはヒト、サル、マウス、ラット等、さらに好ましくはヒトが挙げられる。これらの生物の細胞を用いることにより、哺乳類型コンドロイチン硫酸鎖を有する一般式（３）で表される化合物を簡便且つ効率的に製造することができる。細胞の種類としては、例えば繊維芽細胞、上皮細胞、血管内皮細胞、神経細胞、肝細胞、ケラチン生成細胞、筋細胞、表皮細胞、血液細胞、造血幹細胞・前駆細胞、配偶子（精子、卵子）、受精卵、内分泌細胞、ES細胞、iPS細胞、組織幹細胞、がん細胞等が挙げられ、好ましくは繊維芽細胞が挙げられ、中でもより好ましくは皮膚繊維芽細胞が挙げられる。繊維芽細胞を用いることにより、より効率的に一般式（３）で表される化合物を製造することができると考えられる。
【００６８】
工程２において一般式（２）で表される化合物を含む細胞は、細胞の培養培地中に一般式（２）で表される化合物を添加することにより得ることができる。添加する際の培地中終濃度は、例えば0.1〜10ミリモル／Ｌ、好ましくは0.5〜5ミリモル／Ｌ、より好ましくは1〜3ミリモル／Ｌであることができる。また、一般式（２）で表される化合物を添加する際の細胞の密度は、高い方が好ましく、例えば培養容器における最大密度を１００％（コンフルエント状態）とした場合、例えば６０〜１００％、好ましくは８０〜１００％、より好ましくは９０〜１００％である。
【００６９】
工程２における培養期間は、特に制限されないが、例えば１〜１０日間、好ましくは３〜７日間である。
【００７０】
工程２の培養後、一般式（３）で表される化合物の回収手段は特に制限されないが、簡便には、培地から回収することができる。培地は、さらに精製工程に供してもよい。精製手段としては、アルコール沈殿処理、酵素によるタンパク質分解処理（酵素処理）、タンパク質の沈殿処理等が挙げられる。
【００７１】
アルコール沈殿処理は、公知の方法に従って行うことができる。典型的には、工程２の培養後の培地を、必要に応じて濃縮処理して、その１〜５倍量（好ましくは２〜４倍量）のアルコールと混合した後、一定時間放置することにより沈殿を形成させ、その後、遠心分離して得られたペレットを回収することにより行われる。
【００７２】
アルコールは、コンドロイチン硫酸を沈殿させることができる限り特に限定されない。アルコールとしては、例えばエタノール、イソプロパノール等が挙げられ、これらの中でも毒性がより低いという観点からはエタノールが好ましく挙げられる。アルコールは１種単独でもよいし、２種以上の組み合わせであってもよい。
【００７３】
アルコールには、塩が含まれていることが好ましい。塩としては、特に限定されず、アルコール沈殿に用いられる通常の塩、例えば塩化ナトリウム、酢酸ナトリウム、酢酸アンモニウム、塩化リチウム、塩化マグネシウム等が挙げられる。塩は１種単独でもよいし、２種以上の組み合わせであってもよい。アルコール中の塩の濃度は、特に限定されず、アルコール沈殿において採用される通常の塩濃度、例えば塩化ナトリウムの場合はアルコールに対する飽和濃度であることができる。
【００７４】
沈殿を形成させるために放置する際の温度は、プロテオグリカンを沈殿させることができる限り特に限定されない。温度は、例えば−８０℃〜室温程度、好ましくは０〜１０℃程度であることができる。
【００７５】
沈殿を形成させるために放置する時間は、プロテオグリカンを沈殿させることができる限り特に限定されず、温度に応じて適宜設定される。時間は、温度が０〜１０℃である場合であれば、例えば８〜４８時間、好ましくは１６〜３２時間であることができる。
【００７６】
酵素処理は、培地中のタンパク質成分を分解できる酵素による処理であれば特に制限されない。使用する酵素としては、例えば公知のタンパク質分解酵素、具体的にはアクチナーゼ、キモトリプシン、スブチリシン、ペプシン、カテプシン、ＨＩＶプロテアーゼ、サーモリシン、パパイン、カスパーゼ、コラゲナーゼ等が挙げられる。
【００７７】
タンパク質の沈殿処理は、タンパク質（ペプチド含む）の変性及び沈殿を行うことができる処理である限り特に制限されない。典型的には、ＴＣＡ（トリクロロ酢酸）沈殿処理、硫安沈殿処理、アセトン沈殿処理、ＴＣＡ／アセトン沈殿処理、有機溶媒（フェノール、クロロホルム、これらの混合溶媒等）抽出処理等が挙げられる。
【００７８】
２．反応性基含有コンドロイチン硫酸誘導体の原料
限定的な解釈を望むものではないが、一般式（２）で表される化合物は、脂溶性の程度が適切であり、且つ細胞内でのコンドロイチン硫酸鎖の伸長に与える悪影響が少ない構造であるが故に、これを用いることにより、細胞内に効率的に取り込ませることができ、且つコンドロイチン硫酸鎖を効率的に伸長させることができると考えられる。
【００７９】
よって、本発明は、その一態様において、一般式（２）：
【００８０】
【化１３】
2019059803.tif 000014
【００８１】
で表される化合物、及びその製造方法に関する。
【００８２】
一般式（２）中、ｎ、Ｒ２、及びＹ１は前記に同じである。
【００８３】
一般式（２）で表される化合物は、様々な方法によって製造することができるが、好適には、キシロース供与体と、一般式（１）：
【００８４】
【化１４】
2019059803.tif 000015
【００８５】
で表される化合物とをキシラナーゼの存在下で反応させる工程（工程１）を含む方法によって、製造することができる。
【００８６】
一般式（１）中、ｎ、及びＹ１は前記に同じである。
【００８７】
工程１で使用されるキシロース供与体は、キシロース又はキシラナーゼによる酵素分解作用によりキシロースを遊離可能なキシロース含有多糖若しくはキシロース誘導体である限り、特に制限されない。キシロース含有多糖としては、例えばキシロオリゴ糖等が挙げられる。キシロース誘導体としては、例えばPNP−キシロース等が挙げられる。キシロース供与体としては、好ましくはキシロオリゴ糖が挙げられる。
【００８８】
工程１で使用されるキシラナーゼとしては、ＥＣ番号ＥＣ  ３．２．１．８に分類される酵素であり、その限りにおいて特に限定されない。キシラナーゼとしては、種々の生物由来のものを使用することができる。例えば、トリコデルマ属生物（好ましくはTrichoderma longibrachiatum(ressei)）、アスペルギルス属生物（好ましくはAspergillus niger）等の糸状菌等に由来するキシラナーゼが挙げられる。これらの中でも、一般式（２）で表される化合物をより効率的に製造できるという観点から、好ましくはトリコデルマ属生物由来、より好ましくはTrichoderma longibrachiatum(ressei)由来のキシラナーゼが挙げられる。キシラナーゼとしては１種単独を用いてもよいし、２種以上の組み合わせを用いてもよい。
【００８９】
キシラナーゼは、担体に固定化されたキシラナーゼであってもよい。キシラナーゼを担体に固定化する方法は、公知の方法を採用することができる。担体は、キシラナーゼを固定化できる限りにおいて特に限定されず、例えばキシラナーゼに含まれるアミノ基とアミド結合できるカルボキシル基を有する担体が挙げられる。具体例としては、カルボキシル基をＮ‐ヒドロキシスクシンイミド（ＮＨＳ）でエステル化したセファロース（担体）の活性化エステル基と、キシラナーゼのアミノ基とをアミド結合させることにより、担体にキシラナーゼを固定化することができる。また、他の具体例としては、担体を臭化シアンで活性化して、キシラナーゼのアミノ基とアミド結合させる固定化方法等が挙げられる。
【００９０】
工程１の反応は、適当な溶媒中で行う。溶媒としては、キシロース供与体及び一般式（１）で表される化合物を溶解させることができ、且つキシラナーゼが失活しない溶媒であれば特に限定されない。このような溶媒としては、例えば、水、酢酸緩衝液、リン酸緩衝液、クエン酸緩衝液、ホウ酸緩衝液、酒石酸緩衝液、トリス緩衝液、リン酸緩衝生理食塩水等が挙げられ、好ましくは酢酸緩衝液が挙げられる。
【００９１】
工程１の反応温度は、キシラナーゼが失活しない温度であれば特に限定されず、キシラナーゼの反応至適温度に従って適宜選択される。例えば、３０℃〜６０℃、好ましくは４０〜６０℃、より好ましくは４５〜５５℃であることができる。
【００９２】
工程１の反応時間は、キシラナーゼの酵素活性が十分に発揮できる限り特に限定されない。例えば、１〜１００時間、好ましくは１２〜４８時間、より好ましくは１８〜３０時間であることができる。
【００９３】
工程１の反応ｐＨは、キシラナーゼの酵素活性が十分に発揮される限り特に限定されない。例えば、ｐＨ３〜１０、好ましくはｐＨ４〜６であることができる。
【００９４】
工程１の反応における、キシロース供与体及び一般式（１）で表される化合物のモル比は、キシラナーゼによる酵素反応が起こる限り特に限定されないが、例えば、キシロース供与体１モルに対して、一般式（１）で表される化合物が、例えば1〜50モル、好ましくは10〜20モルであることができる。
【００９５】
工程１の反応後、反応によって得られた一般式（２）で表される化合物を含む溶液を、さらに精製工程に供してもよい。精製手段は、公知の方法（分液、蒸留、クロマトグラフィー、再結晶等）を採用できる。
【００９６】
３．反応性基含有コンドロイチン硫酸誘導体の利用態様
反応性基含有コンドロイチン硫酸誘導体（一般式（３）で表される化合物）は、エチニル基、ビニル基、アジド基、エポキシ基、アルデヒド基、オキシルアミノ基等の反応性基を有する。エチニル基は、アジド基と１，３‐双極子付加環化反応することにより、１，２，３‐トリアゾール環を形成することが知られている。ビニル基は、チオール基と反応して結合を形成する。エポキシ基はアミノ基やチオール基と反応し結合を形成する。アルデヒド基はアミノ基と反応し、シッフ塩基を形成し、それを還元すると結合を形成する。オキシルアミノ基はケトン基、アルデヒド基と反応し、オキシムを形成する。アジド基は、エチニル基と１，３‐双極子付加環化反応することにより、１，２，３‐トリアゾール環を形成することが知られている。反応性基のこれら性質を利用すれば、一般式（３）で表される化合物と、該反応性基と反応する基（例えば、アジド基、アミノ基、チオール基、ヒドロキシ基、ケトン基、アルデヒド基）を有する物質とを容易に連結させることができ、これによりコンドロイチン硫酸鎖で修飾された多種多様な物質を提供することができる。
【００９７】
よって、本発明は、その一態様において、一般式（５）：
【００９８】
【化１５】
2019059803.tif 000016
【００９９】
で表される化合物、及びその製造方法に関する。以下に、これについて説明する。
【０１００】
一般式（５）中、ｎ、Ｒ２、及びＸは前記に同じである。
【０１０１】
Ｒ１は修飾対象物質由来の基を示す。Ｒ１は、例えば修飾対象物質から１又は複数の原子又は原子団が除かれてなる基である。
【０１０２】
修飾対象物質としては、有機物質、無機物質を問わず採用することができる。
【０１０３】
修飾対象物質としては、例えば生体内外における再生医療用足場材料となり得る物質、具体的には細胞外マトリックス成分（例えばコラーゲン、フィブロネクチン、ラミニン、マトリゲル等）、ゼラチン、フィブリン、フィブロイン、セリシン、綿、セルロース、メチルセルロース、寒天、アガロース、アルギン酸塩、キチン、キトサン、生体分解性高分子（例えばポリグリコール酸、ポリ乳酸等）、生体非分解性高分子（例えばポリスチレン、ポリウレタン、ナイロン等）、酸化物系セラミックス（例えばアルミナ、ジルコニア等）、リン酸カルシウム系セラミックス（例えばハイドロキシアパタイト等）、チタン、ステンレス鋼等、さらにはこれらの複合物質等が挙げられる。これらをコンドロイチン硫酸鎖で修飾することにより、コンドロイチン硫酸鎖の生理活性（神経細胞伸長作用、軟骨細胞分化作用等）を付与することができる。得られた足場材料を用いることにより、細胞の成長、分化、増殖等、さらには組織の修復等をより促進することができる。
【０１０４】
その他にも、修飾対象物質としては、フェノール樹脂、エポキシ樹脂、メラミン樹脂、尿素樹脂、不飽和ポリエステル樹脂、アルキド樹脂、ポリウレタン、熱硬化性ポリイミド、ポリエチレン、ポリプロピレン、ポリ塩化ビニル、ポリ塩化ビニリデン、ポリスチレン、ポリ酢酸ビニル、ポリテトラフルオロエチレン、アクリロニトリルブタンジエンスチレン樹脂、スチレンアクリロニトリルコポリマー、アクリル樹脂、ポリアミド、ナイロン、ポリアセタール、ポリカーボネート、変性ポリフェニレンエーテル、ポリブチレンテレフタラート、ポリエチレンテレフタレート、ポリフェニレンスルファイド、ポリテトラフロロエチレン、ポリスルホン、ポリエーテルサルフォン、非晶ポリアリレート、液晶ポリマー、ポリエーテルエーテルケトン、熱可塑性ポリイミド、若しくはポリアミドイミド等のプラスチックそのもの、これらのプラスチックを加工した材料等のプラスチック材料が挙げられる。上記プラスチックを加工した材料としては、例えばプラスチック製細胞培養容器、医療用チューブ等が挙げられる。
【０１０５】
その他にも、修飾対象物質としては、繊維材料、例えば、綿、毛、絹、麻、ビスコース繊維、銅アンモニア繊維、アセテート繊維、プロミックス繊維、ナイロン繊維、ビニロン繊維、ポリ塩化ビニリデン系合成繊維、ポリ塩化ビニル系合成繊維、ポリエステル系合成繊維、ポリアクリロニトリル系合成繊維、ポリエチレン系合成繊維、ポリプロピレン系合成繊維、ポリウレタン系合成繊維、ポリクラール系合成繊維、炭素繊維、若しくは羽毛等の繊維そのもの、又はこれらの繊維を加工した材料が挙げられる。上記繊維を加工した材料としては、例えば衣類、寝具、バンドエイド、マスク、包帯、又は介護用品等が挙げられる。衣類としては、特に限定されないが、肌に直接触れ得るものが好ましく挙げられる。このような衣類としては、例えば帽子、肌着、手袋、靴下、ストッキング、マフラー、ストール、下着、又はオムツ（赤ちゃん用、介護用）等が挙げられる。寝具としては、特に限定されないが、肌に直接触れ得るものが好ましく挙げられる。このような寝具としては、例えば、シーツ、布団カバー、又は枕カバーなどが挙げられる。
【０１０６】
その他にも、修飾対象物質としては、医薬化合物が挙げられる。医薬化合物をコンドロイチン硫酸鎖で修飾することにより、医薬化合物の安定性を向上させ得る。
【０１０７】
Ｚは架橋連結部を示す。架橋連結部は、後述の反応性基２（Ｙ２）と反応することにより形成される連結部であり、反応性基１と反応性基２の種類によって異なる構造の部位である。
【０１０８】
Ｚとしては、好ましくは１，２，３−トリアゾール環が挙げられる。
【０１０９】
一般式（５）で表される化合物は、例えば一般式（３）：
【０１１０】
【化１６】
2019059803.tif 000017
【０１１１】
で表される化合物と、一般式（４）：
【０１１２】
【化１７】
2019059803.tif 000018
【０１１３】
で表される化合物とを反応させる工程（工程３）を含む方法によって、製造することができる。
【０１１４】
一般式（３）中、ｎ、Ｒ２、Ｘ、及びＹ１は前記に同じである。
【０１１５】
一般式（４）中、Ｒ１は前記に同じである。
【０１１６】
Ｙ２は反応性基２を示す。反応性基２は、他の基（上述の反応性基１（Ｙ１））と反応することにより、上述の架橋連結部（Ｚ）を形成可能な基である限り特に制限されない。反応性基２としては、例えばアジド基、アミノ基、チオール基、ヒドロキシ基、ケトン基、アルデヒド基、エチニル基等が挙げられる。
【０１１７】
Ｙ２としては、好ましくはアジド基である。
【０１１８】
工程３の反応は、反応性基１と反応性基２の種類に応じて、適切な条件で行われる。以下に、反応性基１がエチニル基であり、反応性基２がアジド基である場合の反応について詳述する。
【０１１９】
工程３の反応は、１，３‐双極子付加反応である。反応は溶媒存在下でも非存在下でも行うことができるが、溶媒存在下で行う場合、溶媒は、反応に悪影響を与えない限り特に限定されない。例えば、蒸留水、メタノール、テトラヒドロフラン、ジオキサン、ジメチルスルフォキシド、Ｎ，Ｎ−ジメチルホルムアミド等を使用することができる。好ましくは適当な触媒の存在下で反応を行うことが好ましい。触媒としては、例えば銅（Ｉ）触媒が挙げられる。銅（Ｉ）触媒を使用する場合は、例えば、硫酸銅などの２価の銅と、還元剤（例えばヒドロキノン、アスコルビン酸ナトリウム）を系内に導入し、一価の銅を反応させる方法が挙げられる。
【０１２０】
工程３の反応温度は、溶媒の沸点以下であれば特に限定されないが、例えば１５〜８０℃、好ましくは２５〜５０℃、より好ましくは３２〜４２℃であることができる。
【０１２１】
工程３の反応時間は、特に限定されないが、例えば、１〜１００時間、好ましくは２４〜６０時間であることができる。
【０１２２】
工程３の反応における、一般式（３）で表される化合物と、一般式（４）で表される化合物とのモル比は、特に限定されないが、例えば、一般式（３）で表される化合物１モルに対して、一般式（４）で表される化合物１モル〜５モル、好ましくは１モル〜３モルであることができる。
【０１２３】
工程３の反応後、反応によって得られた、一般式（５）で表される化合物を含む溶液を、さらに精製工程に供してもよい。精製手段は、公知の方法（分液、蒸留、クロマトグラフィー、再結晶等）を採用できる。
【実施例】
【０１２４】
以下に、実施例に基づいて本発明を詳細に説明するが、本発明はこれらの実施例によって限定されるものではない。
【０１２５】
実施例１．プロパルギル基含有キシロース誘導体の合成
キシロオリゴ糖（10 wt %, 1.5 mL, 約0.53 mmol）を、酢酸ナトリウムバッファー（pH= 5.0, 50 mM, 1 mL)、キシラナーゼ（スミチームX（新日本化学工業株式会社、Trichoderma longibrachiatum(ressei)由来））5 mg（25 U）、及びプロパルギルアルコール 0.5mLを含む反応液に加え、50℃にて24時間インキュベートした。反応終了後、減圧濃縮をして得られたシラップをフラッシュシリカゲルクロマトグラフィー（Fuji Silysia 300 mesh, l = 17 cm）に供し、溶出液（CHCl3：MeOH＝10 : 1 ）にてβ―プロパルギルキシロース（12 mg, 0.59 mmol）を得た。
1H-NMR (D2O)
4.54 (d, 1 H, J = 7.6 Hz), 4.36 (t, 1 H), 3.82 (d, 1 H,), 3.62 (dd, 1 H), 3.42-3.26 (m), 3.18 (t, 1 H), 2.81 (br-d)。
【０１２６】
実施例２．アルキニル基含有ヒト型コンドロイチン硫酸誘導体の合成
正常ヒト皮膚繊維芽細胞（KURABO社製、P-7：継代7回目）をコンフェルトになるまでシャーレ上で培養した。それぞれのシャーレ（14枚）の培地に、ジメチルスルフォキシドに溶解したβ―プロパルギルキシロースを、培地中終濃度が2 mmol/Lになるよう投与した。投与後、CO2インキュベーター（37 ℃）で5日間培養した後、培地を回収して凍結乾燥した。得られた残渣を蒸留水（10 mL）に溶解し、そこへ3倍量の食塩飽和エタノール（30 mL）を加えて、4℃にて24時間、静置した。次いで遠心分離（15000 r. p. m., 15分間, 4 ℃）し、上澄を廃棄して沈殿物を回収した。沈殿物を塩化カルシウム（50 m M）含有100 m M-TrisHCl緩衝液. pH = 8.0（15 mL）に溶解させ、そこへアクチナーゼ（5 mg）を加えて、37℃にて3日反応させた。次いで0 ℃にてトリクロロ酢酸（500 mg）を加えて反応を停止した。反応液を遠心分離（15000 r. p. m., 15分間, 4 ℃）し、上清を回収した。その上清に3倍量の食塩飽和エタノール（45 mL）を加えてエタノール沈殿を行い、アルキニル基含有ヒト型コンドロイチン硫酸を得た。
【０１２７】
実施例３．ヒト型コンドロイチン硫酸修飾型蛍光物質の合成
合成したアルキニル基含有ヒト型コンドロイチン硫酸（500μg）を超純水（500μL）にて溶解した。得られた溶液の内の50 μLに、Azido - Alexa Fluor（登録商標） 488溶液（1 mg / 400μL DMSO溶液, 10μL）、硫酸銅（10 mM, 30μL）、及びアスコルビン酸ナトリウム（10 mM, 30μL）を加え、窒素雰囲気下37℃にて2日間撹拌した。得られた反応液を逆相カラムカートリッジ（Allteck C18）に供し、H2O、MeOH / H2O = 1 / 1の順に溶出し、H2O画分にて目的化合物であるヒト型コンドロイチン硫酸修飾型蛍光物質を得た。
【０１２８】
得られたシラップを超純水（300μL）にて再溶解し、その溶液を、HPLC分析を行った。HPLC分析条件は、流速0.5 mL / min、溶離液0.2 M - NaCl、カラム温度40℃、カラムはTOSOH製TSKgel G5000PWXLであり、検出は蛍光検出器 (励起波長501 nm、蛍光波長525 nm)にて行った。クロマトグラムを図１に示す。その結果、分子量は約2万2千であると算出された。なお、分子量は、プルランスタンダード（shodex社製、P-82）を用いて算出した。
【０１２９】
実施例４．コンドロイチン硫酸の確認
実施例３で得られたヒト型コンドロイチン硫酸修飾型蛍光物質を超純水（500μL）にて溶解した。得られた溶液の内の50 μLに、0.4M Tris-HCl緩衝液 pH = 8.0, 60μL と0.4M酢酸ナトリウム60μLを添加し、さらにコンドロイチナーゼABC  5μＬ（2.5 mU / mL）を加え37℃にて24時間反応させた。反応液を100℃にて3分間加熱し、反応を停止した。その反応液を遠心分離（15000 r. p. m., 15分間, 4 ℃）し、上清を回収し、実施例３と同様にしてHPLC分析を行った。クロマトグラムを図２に示す。図１との比較より、コンドロイチナーゼABCの消化により、リテンションタイムが遅くなり、低分子化していることが確認された。このことから、実施例２で得られたものが確かにコンドロイチン硫酸であることが確認できた。
【図１】
2019059803.tif 000029
【図２】
2019059803.tif 000030